【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
マルチメディアファイルを暗号化する方法であって、
前記マルチメディアファイルをマルチメディアソースから受信することと、
メディアデータ部分を識別するために、前記マルチメディアファイルをメディア部分と非メディア部分とに分けるように解析することと、なお前記メディアデータ部分は複数のビデオフレームを含む、
前記複数のビデオフレームの各々が前記ビデオフレームのサイズに関係なく暗号化されるように、ビデオフレーム毎に前記メディアデータ部分を暗号化することと、
前記暗号化されたメディアデータ部分を非暗号化非メディアデータ部分と組み合わせることと、
前記非暗号化非メディアデータ部分と組み合わせられた前記暗号化されたメディアデータ部分をプレーヤに出力することと、
を備える方法。
【請求項２】
前記メディアデータ部分を識別するために前記マルチメディアファイルを解析することは、
前記マルチメディアファイルのファイル形式を決定することと、
前記決定されたファイル形式に基づいて、前記マルチメディアファイルの前記メディアデータ部分を識別することと
を備える、請求項１に記載の方法。
【請求項３】
前記メディアデータ部分は、複数のオーディオサンプルをさらに含み、前記方法は、オーディオサンプル毎に前記メディアデータ部分を暗号化することをさらに備える、請求項１記載の方法。
【請求項４】
マルチメディアファイルを再生する方法であって、
非暗号化非メディア部分と組み合わせられた暗号化されたメディア部分を含む前記マルチメディアファイルを受信することと；
暗号化されていないメタデータ部分を識別するために、前記マルチメディアファイルを前記暗号化されたメディア部分と前記非暗号化非メディア部分とに分けるように解析することと；
前記マルチメディアファイルの関心位置を決めるために前記暗号化されていないメタデータ部分を用いることと、なお前記関心位置は、複数のビデオフレームを含む関連付けられた暗号化されたメディアデータ部分を有し、前記複数のビデオフレームの各々は、前記ビデオフレームのサイズに関係なく暗号化される；
ビデオフレーム毎に前記関連付けられた暗号化されたメディアデータ部分を解読することと；
前記解読された関連付けられたメディアデータ部分と前記暗号化されていないメタデータ部分とを組み合わせることと；
前記暗号化されていないメタデータ部分と組み合わせられた前記解読された関連付けられたメディアデータ部分を復号することと
を備える方法。
【請求項５】
前記メタデータ部分を識別するために前記マルチメディアファイルを解析することは、
前記マルチメディアファイルのファイル形式を決定することと、
前記決定されたファイル形式に基づいて、前記マルチメディアファイルの非暗号化非メディア部分を識別することと
を備える、請求項４に記載の方法。
【請求項６】
前記マルチメディアファイルにおける前記関心位置を決めるために前記暗号化されていないメタデータ部分を用いることは、
ビデオフレームオフセットとタイミング情報との表を構築することと、
前記マルチメディアファイルにおけるビデオフレームの前記位置を決定することと、
を備える、
請求項４記載の方法。
【請求項７】
前記マルチメディアファイルにおける前記関心位置を決めるために前記暗号化されていないメタデータ部分を用いることは、
前記マルチメディアファイルにおけるビデオフレームの位置を、
前記ビデオフレームをチャンクにマッピングすることと、
前記チャンク内における前記ビデオフレームのオフセットを決定することと、
によって決定することを備える、
請求項４記載の方法。
【請求項８】
マルチメディアファイルを暗号化するための方法を実施するように構成されるプロセッサであって、前記方法は、
前記マルチメディアファイルをマルチメディアソースから受信することと、
メディアデータ部分を識別するために、前記マルチメディアファイルをメディア部分と非メディア部分とに分けるように解析することと、なお前記メディアデータ部分は複数のビデオフレームを含む、
前記複数のビデオフレームの各々が前記ビデオフレームのサイズに関係なく暗号化されるように、ビデオフレーム毎に前記メディアデータ部分を暗号化することと、
前記暗号化されたメディアデータ部分と非暗号化非メディアデータ部分とを組み合わせることと、
前記非暗号化非メディアデータ部分と組み合わせられた前記暗号化されたメディアデータ部分をプレーヤに出力することと、
を備える、
プロセッサ。
【請求項９】
前記メディアデータ部分を識別するために前記マルチメディアファイルを解析することは、
前記マルチメディアファイルのファイル形式を決定することと、
前記決定されたファイル形式に基づいて、前記マルチメディアファイルの前記メディアデータ部分を識別することと
を備える、請求項８に記載のプロセッサ。
【請求項１０】
前記メディアデータ部分は、複数のオーディオサンプルをさらに含み、前記方法は、オーディオサンプル毎に前記メディアデータ部分を暗号化することをさらに備える、請求項８記載のプロセッサ。
【請求項１１】
マルチメディアファイルを再生するための方法を実施するように構成されるプロセッサであって、前記方法は、
非暗号化非メディア部分と組み合わせられた暗号化されたメディア部分を含む前記マルチメディアファイルを受信することと；
暗号化されていないメタデータ部分を識別するために、前記マルチメディアファイルを前記暗号化されたメディア部分と前記非暗号化非メディア部分とに分けるように解析することと；
前記マルチメディアファイルの関心位置を決めるために前記暗号化されていないメタデータ部分を用いることと、なお前記関心位置は、複数のビデオフレームを含む関連付けられた暗号化されたメディアデータ部分を有し、前記複数のビデオフレームの各々は、前記ビデオフレームのサイズに関係なく暗号化される；
ビデオフレーム毎に前記関連付けられた暗号化されたメディアデータ部分を解読することと；
前記解読されたメディアデータ部分と前記暗号化されていないメタデータ部分とを組み合わせることと
を備える、
プロセッサ。
【請求項１２】
前記メタデータ部分を識別するために前記マルチメディアファイルを解析することは、
前記マルチメディアファイルのファイル形式を決定することと、
前記決定されたファイル形式に基づいて、前記マルチメディアファイルの非暗号化非メディア部分を識別することと
を備える、請求項１１に記載のプロセッサ。
【請求項１３】
前記マルチメディアファイルにおける前記関心位置を決めるために前記暗号化されていないメタデータ部分を用いることは、
ビデオフレームオフセットとタイミング情報との表を構築することと、
前記マルチメディアファイルにおけるビデオフレームの前記位置を決定することと、
を備える、
請求項１１記載のプロセッサ。
【請求項１４】
前記マルチメディアファイルにおける前記関心位置を決めるために前記暗号化されていないメタデータ部分を用いることは、
前記マルチメディアファイルにおけるビデオフレームの位置を、
前記ビデオフレームをチャンクにマッピングすることと、
前記チャンク内における前記ビデオフレームのオフセットを決定することと、
によって決定することを備える、
請求項１１記載のプロセッサ。
【請求項１５】
命令が保存されているコンピュータ読み取り可能媒体であって、前記保存された命令は、プロセッサによって実行されるとき、前記プロセッサにマルチメディアファイルを暗号化するための方法を実行させ、前記コンピュータ読み取り可能媒体は、
前記マルチメディアファイルをマルチメディアソースから受信するために実行可能な少なくとも１つの命令と、
メディアデータ部分を識別するために、前記マルチメディアファイルをメディア部分と非メディア部分とに分けるように解析するために実行可能な少なくとも１つの命令と、なお前記メディアデータ部分は複数のビデオフレームを含む、
前記複数のビデオフレームの各々が前記ビデオフレームのサイズに関係なく暗号化されるように、ビデオフレーム毎に前記メディアデータ部分を暗号化するために実行可能な少なくとも１つの命令と、
前記暗号化されたメディアデータ部分と非暗号化非メディアデータ部分とを組み合わせるために実行可能な少なくとも１つの命令と、
前記非暗号化非メディア部分と組み合わせられた前記暗号化されたメディアデータ部分をプレーヤに出力するために実行可能な少なくとも１つの命令と
を備える、
コンピュータ読み取り可能媒体。
【請求項１６】
前記メディアデータ部分を識別するために前記マルチメディアファイルを解析するために実行可能な少なくとも１つの命令は、
前記マルチメディアファイルのファイル形式を決定するために実行可能な少なくとも１つの命令と、
前記決定されたファイル形式に基づいて、前記マルチメディアファイルの前記メディアデータ部分を識別するために実行可能な少なくとも１つの命令と
を備える、請求項１５に記載のコンピュータ読み取り可能媒体。
【請求項１７】
前記メディアデータ部分は、複数のオーディオサンプルをさらに含み、前記コンピュータ読み取り可能媒体は、オーディオサンプル毎に前記メディアデータ部分を暗号化するために実行可能な少なくとも１つの命令をさらに備える、請求項１５記載のコンピュータ読み取り可能媒体。
【請求項１８】
命令が保存されているコンピュータ読み取り可能媒体であって、前記保存された命令は、プロセッサによって実行されるとき、前記プロセッサにマルチメディアファイルを再生するための方法を実行させ、前記コンピュータ読み取り可能媒体は、
暗号化されたメディア部分と非暗号化非メディア部分とを含む前記マルチメディアファイルを受信するために実行可能な少なくとも１つの命令と、
暗号化されていないメタデータ部分を識別するために、前記マルチメディアファイルを前記暗号化されたメディア部分と前記非暗号化非メディア部分とに分けるように解析するために実行可能な少なくとも１つの命令と；
前記マルチメディアファイルの関心位置を決めるために前記暗号化されていないメタデータ部分を用いるために実行可能な少なくとも１つの命令と、なお前記関心位置は、複数のビデオフレームを含む関連付けられた暗号化されたメディアデータ部分を有し、前記複数のビデオフレームの各々は、前記ビデオフレームのサイズに関係なく暗号化される；
ビデオフレーム毎に前記関連付けられた暗号化されたメディアデータ部分を解読するために実行可能な少なくとも１つの命令と；
前記解読されたメディアデータ部分と前記暗号化されていないメタデータ部分とを組み合わせることと；
前記暗号化されていないメタデータ部分と組み合わせられた前記解読されたメディアデータ部分を復号することと
を備える、
コンピュータ読み取り可能媒体。
【請求項１９】
前記メタデータ部分を識別するために前記マルチメディアファイルを解析するために実行可能な少なくとも１つの命令は、
前記マルチメディアファイルのファイル形式を決定するために実行可能な少なくとも１つの命令と、
前記決定されたファイル形式に基づいて、前記マルチメディアファイルの非暗号化非メディア部分を識別するために実行可能な少なくとも１つの命令と
を備える、請求項１８に記載のコンピュータ読み取り可能媒体。
【請求項２０】
前記マルチメディアファイルにおける前記関心位置を決めるために前記暗号化されていないメタデータ部分を用いるために実行可能な前記少なくとも１つの命令は、
ビデオフレームオフセットとタイミング情報との表を構築するために実行可能な少なくとも１つの命令と、
前記マルチメディアファイルにおけるビデオフレームの前記位置を決定するために実行可能な少なくとも１つの命令と、
を備える、
請求項１８記載のコンピュータ読み取り可能媒体。
【請求項２１】
前記マルチメディアファイルにおける前記関心位置を決めるために前記暗号化されていないメタデータ部分を用いるために実行可能な前記少なくとも１つの命令は、
前記マルチメディアファイルにおけるビデオフレームの位置を、
前記ビデオフレームをチャンクにマッピングすることと、
前記チャンク内における前記ビデオフレームのオフセットを決定することと、
によって決定するために実行可能な少なくとも１つの命令を備える、
請求項１８記載のコンピュータ読み取り可能媒体。
【請求項２２】
マルチメディアファイルを暗号化する装置であって、
前記マルチメディアファイルをマルチメディアソースから受信する手段と、
メディアデータ部分を識別するために、前記マルチメディアファイルをメディア部分と非メディア部分とに分けるように解析する手段と、なお前記メディアデータ部分は複数のビデオフレームを含む、
前記複数のビデオフレームの各々が前記ビデオフレームのサイズに関係なく暗号化されるように、ビデオフレーム毎に前記メディアデータ部分を暗号化する手段と、
前記暗号化されたメディアデータ部分と非暗号化非メディアデータ部分とを組み合わせる手段と、
前記非暗号化非メディアデータ部分と組み合わせられた前記暗号化されたメディアデータ部分をクライアントに出力する手段と
を備える装置。
【請求項２３】
前記メディアデータ部分を識別するために前記マルチメディアファイルを解析する手段は、
前記マルチメディアファイルのファイル形式を決定する手段と、
前記決定されたファイル形式に基づいて、前記マルチメディアファイルの前記メディアデータ部分を識別する手段と
を備える、請求項２２に記載の装置。
【請求項２４】
前記メディアデータ部分は、複数のオーディオサンプルをさらに含み、前記装置は、オーディオサンプル毎に前記メディアデータ部分を暗号化する手段をさらに備える、請求項２２記載の装置。
【請求項２５】
マルチメディアファイルを再生するための装置であって、
暗号化されたメディア部分と非暗号化非メディア部分とを含む前記マルチメディアファイルをマルチメディアソースから受信する手段と、
暗号化されていないメタデータ部分を識別するために、前記マルチメディアファイルを前記暗号化されたメディア部分と前記非暗号化非メディア部分とに分けるように解析する手段と；
前記マルチメディアファイルの関心位置を決めるために前記暗号化されていないメタデータ部分を用いる手段と、なお前記関心位置は、複数のビデオフレームを含む関連付けられた暗号化されたメディアデータ部分を有し、前記複数のビデオフレームの各々は、前記ビデオフレームのサイズに関係なく暗号化される；
ビデオフレーム毎に前記関連付けられた暗号化されたメディアデータ部分を解読する手段と；
前記解読された関連付けられたメディアデータ部分と前記暗号化されていないメタデータ部分とを組み合わせる手段と；
前記暗号化されていないメタデータ部分と組み合わせられた前記解読された関連付けられたメディアデータ部分を復号する手段と
を備える装置。
【請求項２６】
前記メタデータ部分を識別するために前記マルチメディアファイルを解析する手段は、
前記マルチメディアファイルのファイル形式を決定する手段と、
前記決定されたファイル形式に基づいて、前記マルチメディアファイルの非暗号化非メディア部分を識別する手段と
を備える、請求項２５に記載の装置。
【請求項２７】
前記マルチメディアファイルにおける前記関心位置を決めるために前記暗号化されていないメタデータ部分を用いる手段は、
ビデオフレームオフセットとタイミング情報との表を構築する手段と、
前記マルチメディアファイルにおけるビデオフレームの前記位置を決定する手段と、
を備える、
請求項２５記載の装置。
【請求項２８】
前記マルチメディアファイルにおける前記関心位置を決めるために前記暗号化されていないメタデータ部分を用いる手段は、前記マルチメディアファイルにおけるビデオフレームの位置を決定する手段を備え、
前記マルチメディアファイルにおけるビデオフレームの位置を決定する手段は、
前記ビデオフレームをチャンクにマッピングする手段と、
前記チャンク内における前記ビデオフレームのオフセットを決定する手段と、
を備える、
請求項２５記載の装置。
【請求項２９】
マルチメディアファイルを暗号化する装置であって、
前記マルチメディアファイルを受信し、メディアデータ部分を識別するために、マルチメディアソースから受信された前記マルチメディアファイルを、メディア部分と非メディア部分とに分けるように解析するように構成された解析器と、なお前記メディアデータ部分は複数のビデオフレームを含む、
前記複数のビデオフレームの各々が前記ビデオフレームのサイズに関係なく暗号化されるように、ビデオフレーム毎に前記メディアデータ部分を暗号化するように構成された暗号化プロセッサと、
前記暗号化されたメディアデータ部分と非暗号化非メディアデータ部分とを組み合わせるように構成されたコンバイナと、
前記非暗号化非メディアデータ部分と組み合わせられた前記暗号化されたメディアデータ部分をプレーヤに出力する出力デバイスと
を備える装置。
【請求項３０】
前記解析器は、
前記マルチメディアファイルのファイル形式を決定し、
前記決定されたファイル形式に基づいて、前記マルチメディアファイルの前記メディアデータ部分を識別する
ようにさらに構成されている、請求項２９に記載の装置。
【請求項３１】
前記メディアデータ部分は、複数のオーディオサンプルをさらに含み、前記暗号化プロセッサは、オーディオサンプル毎に前記メディアデータ部分を暗号化するようにさらに構成されている、請求項２９に記載の装置。
【請求項３２】
マルチメディアファイルを再生するための装置であって、
暗号化されたメディア部分と非暗号化非メディア部分とを含む前記マルチメディアファイルを受信し、
暗号化されていないメタデータ部分を識別するために、前記受信されたマルチメディアファイルを前記暗号化されたメディア部分と前記非暗号化非メディア部分とに分けるように解析し、
前記暗号化されていないメタデータ部分を用いて前記マルチメディアファイルの関心位置を決める
ように構成された解析器であって、前記関心位置は、複数のビデオフレームを含む関連付けられた暗号化されたメディアデータ部分を含み、前記複数のビデオフレームの各々は、前記ビデオフレームのサイズに関係なく暗号化される、解析器と、
ビデオフレーム毎に前記関連付けられた暗号化されたメディアデータ部分を解読するように構成された解読プロセッサと；
前記解読されたメディアデータ部分と前記暗号化されていないメタデータ部分とを組み合わせるコンバイナと
を備える装置。
【請求項３３】
前記解析器は、
前記マルチメディアファイルのファイル形式を決定し、
前記決定されたファイル形式に基づいて、前記マルチメディアファイルの前記非暗号化非メディア部分を識別する
ようにさらに構成されている、請求項３２に記載の装置。
【請求項３４】
前記解析器は、
ビデオフレームオフセットとタイミング情報との表を構築し、
前記マルチメディアファイルにおけるビデオフレームの前記位置を決定する
ようにさらに構成されている、請求項３２記載の装置。
【請求項３５】
前記解析器は、
前記ビデオフレームをチャンクにマッピングすることと、
前記チャンク内における前記ビデオフレームのオフセットを決定することと
によって前記マルチメディアファイルにおけるビデオフレームの位置を決定する
ようにさらに構成されている、請求項３２記載の装置。
【請求項３６】
前記複数のビデオフレームの各々は、ビデオオブジェクトプレイン（ＶＯＰ）である、請求項１および４のうちのいずれか１つに記載の方法。
【請求項３７】
前記複数のビデオフレームの各々は、ビデオオブジェクトプレイン（ＶＯＰ）である、請求項２２、２５、２９、および３２のうちのいずれか１つに記載の装置。
【請求項３８】
前記複数のビデオフレームの各々は、ビデオオブジェクトプレイン（ＶＯＰ）である、請求項８または１１に記載の方法。
【請求項３９】
前記複数のビデオフレームの各々は、ビデオオブジェクトプレイン（ＶＯＰ）である、請求項１５または１８に記載のコンピュータ読み取り可能媒体。